(57)【要約】【課題】空気清浄機能の向上を図るとともに、空気清浄機能の向上にともなう送風量の低下を防止して熱交換効率を確保する空気調和機を提供する。【解決手段】本体ケース２に設けた吸込口４及び吹出口５をつなぐ通風路７に、熱交換器９、送風機８等を配設した空気調和機において、前記熱交換器９の空気流入側に空気清浄フィルタ２６及び補助送風機１８を設け、これら空気清浄フィルタ２６及び補助送風機１８を一体の収納ケース１５に収納した。【選択図】      図２
2004150713.tif 000002
【特許請求の範囲】
【請求項１】
本体ケースに設けた吸込口及び吹出口をつなぐ通風路に、熱交換器、送風機等を配設した空気調和機において、
前記熱交換器の空気流入側に空気清浄フィルタ及び補助送風機を設けたことを特徴とする空気調和機。
【請求項２】
前記空気清浄フィルタ及び補助送風機を一体の収納ケースに収納したことを特徴とする請求項１に記載の空気調和機。
【請求項３】
前記収納ケースは空気調和機本体に着脱可能に設けられることを特徴とする請求項１または２に記載の空気調和機。
【請求項４】
前記吸込口には空気調和機の運転停止時に吸込口を閉塞する開閉板を設けたことを特徴とする請求項１〜３のいずれかに記載の空気調和機。
【請求項５】
前記収納ケースには脱臭フィルタを設けたことを特徴とする請求項１〜４のいずれかに記載の空気調和機。
【発明の詳細な説明】
【０００１】
【発明の属する技術分野】
本発明は、空気清浄機能を備えた空気調和機に関する。
【０００２】
【従来の技術】
従来、この種空気調和機には、例えば、室内機本体に設けた吸込口及び吹出口をつなぐ通風路に、送風機、熱交換器等を設け、この熱交換器の空気流入側には、全面にわたって設けられるプレフィルタと一部に設けられる空気清浄フィルタとが配置されている。そして、吸込口から吸い込まれた空気は、比較的大きな塵や埃がプレフィルタで補足されて除去され、さらに微細な塵や埃が空気清浄フィルタで除去された後、熱交換器で熱交換されて吹出口から吹き出されるようになっている。（例えば、特許文献１参照。）。
【０００３】
【特許文献１】
実開平７ー１２８５６号公報
【０００４】
【発明が解決しようとする課題】
しかしながら、従来の空気清浄フィルタは、通風路断面の一部を覆うように設けられており、プレフィルタを通過し空気清浄フィルタを通らない微細な塵や埃が通風路内に侵入し、通風路の内壁や送風機のファン等に付着したり、吹出口から室内へ吹き出されるという問題があった。
【０００５】
これを防ぐために、通風路断面の全体を覆うように空気清浄フィルタを設けると、空気清浄フィルタによる通気抵抗が大きくなり、十分な送風量が得られなくなるという問題があった。
【０００６】
本発明の目的は、上述した従来の事情に鑑みてなされたものであり、空気清浄機能の向上を図るとともに送風量の低下を防止して熱交換効率を確保する空気調和機を提供することにある。
【０００７】
【課題を解決するための手段】
上記目的を達成するために、請求項１記載の発明は、本体ケースに設けた吸込口及び吹出口をつなぐ通風路に、熱交換器、送風機等を配設した空気調和機において、  前記熱交換器の空気流入側に空気清浄フィルタ及び補助送風機を設けたことを特徴とする。
【０００８】
請求項２に記載の発明は、請求項１に記載の空気調和機において、前記空気清浄フィルタ及び補助送風機を一体の収納ケースに収納したことを特徴とする。
【０００９】
請求項３に記載の発明は、請求項１または２に記載の空気調和機において、前記収納ケースは空気調和機本体に着脱可能に設けられることを特徴とする。
【００１０】
請求項４に記載の発明は、請求項１〜３のいずれかに記載の空気調和機において、前記吸込口には空気調和機の運転停止時に吸込口を閉塞する開閉板を設けたことを特徴とする。
【００１１】
請求項５に記載の発明は、請求項１〜４のいずれかに記載の空気調和機において、前記収納ケースには脱臭フィルタを設けたことを特徴とする。
【００１２】
【発明の実施の形態】
以下、本発明の一実施形態を図面に基づいて説明する。図１は本発明の一実施形態における空気調和機の室内機の斜視図、図２は室内機の略断面図である。
【００１３】
図１において、本空気調和機の室内機１は、室外に設置される室外機（図示せず）と冷媒管により接続されて、これら室外機と室内機１との間で冷媒が循環するようになっている。この室内機１は、プラスチック等を材料として形成された横長の本体ケース２と、この本体ケース２の前面上部の開口部に取り付けられる前面カバー３とを備え、前面カバー３には吸込口４が、本体ケース２の下部には吹出口５が設けられている。また、本体ケース２の右端部には空気調和機の運転停止や電気部品の動作を制御する制御装置６が設けられている。
【００１４】
図２において、本体ケース２内には、前記吸込口４と吹出口５とを連通する通風路７が形成され、この通風路７内の略中心位置には、長手方向に延設されたクロスフローファン８Ｆを有する送風機８が設けられ、このクロスフローファン８Ｆと吸込口４との間に熱交換器９が配設されている。
【００１５】
前記熱交換器９は、３つのブロックからなり、これら３つのブロックがクロスフローファン８Ｆを包むように略「く」字状及び「Λ」字状に配設されて、室内機１を小型化しても熱交換効率が低下しないようにしている。熱交換器９の下端部には、この熱交換器９で結露して滴下する水を受け止めるドレンパン１２ａ、１２ｂが設けられ、これらドレンパン１２ａ、１２ｂは本体ケース２に固定されている。
【００１６】
前記前面カバー３には、吸込口４を覆うように開閉板１３が設けられ、この開閉板１３は左右両端に軸１４、１４を有し、これらの軸１４、１４が吸込口４の左右両端部に回動自在に枢着されている。右の軸１４には駆動用モータ（図示せず）が連結され、この駆動用モータがクロスフローファン８Ｆの回転に連動して開閉板１３を回動し、吸込口４を開放するようになっている。
【００１７】
前記前面カバー３と熱交換器９との間、即ち熱交換器９の空気流入側には、開口部２ａに着脱可能に設けられた収納ケース１５が取り付けられている。この収納ケース１５は、前側に吸い込み空気中の塵や埃を除去するフィルタ類を収納するフィルタ収納部１７、後側に横並びに２つの補助送風機１８、１８（図１参照）を収納するモータ収納部１９を備え、補助送風機１８は、制御線にて制御装置６に接続されて、クロスフローファン８Ｆの回転に連動してファンを回転するようになっている。
【００１８】
前記吹出口５には吹き出す空気の方向を設定するための風向変更器３１が設けられている。この風向変更器３１は吹き出す空気の左右方向を規定する縦羽根３２と、上下方向を規定するフラップ３３とにより構成されて、このフラップ３３には回動用モータが取り付けられ、この回動用モータはクロスフローファン８Ｆが回転しているとき、吹出口５を開放し、回転を停止すると閉鎖するようになっている。
【００１９】
図３はフィルタ収納部の断面説明図である。前記フィルタ収納部１７にはフィルタ類を収納するフィルタ枠２２が収納され、前から順に補助枠２３、プレフィルタ２４、中間枠２５、空気清浄フィルタ２６及び主枠２７が配置されている。
【００２０】
プレフィルタ２４は、樹脂を網目状に加工して作られ、吸い込まれる空気中から比較的大きな埃やごみを取り除くように構成されている。
【００２１】
空気清浄フィルタ２６は、多数のプリーツが形成された集塵フィルタ２６Ｓと平坦状の脱臭フィルタ２６Ｄとを重ねた構成となっており、集塵フィルタ２６Ｓは、平板状の補強ネットの上に電荷が付与されたポリプロピレン製不織布（商品名：シンテックスＥＬ．三井石油化学工業株式会社）を熱融着した後、これを波形に折り曲げたものであり、脱臭フィルタ２６Ｄは、網状ウレタンフォームに粒状活性炭を固着したものである。
【００２２】
以上のように構成された空気調和機の室内機１において、クロスフローファン８Ｆの回転とともに空気調和機の運転が開始されると、吸込口４の開閉板１３及び吹出口５のフラップ３３が開放され、補助送風機１８、１８が作動する。吸込口４から取り込まれた空気は、プレフィルタ２４、空気清浄フィルタ２６を通過し、熱交換器９を通過して熱交換された後、吹出口５から吹き出される。
【００２３】
ここで、吸込口４から取り込まれた空気は、プレフィルタ２４により比較的大きなごみや埃が捕捉されて除去される。続いて、空気清浄フィルタ２６を通過するが、空気清浄フィルタ２６では、集塵フィルタ２６Ｓにより微細な塵や埃を除去し、続いて脱臭フィルタ２６Ｄが空気中の匂いを除去し、これにより空気を清浄化する。
【００２４】
これらプレフィルタ２４及び空気清浄フィルタ２６は、本体ケース２の開口部２ａの輪郭に沿って全面に配置しているので、室内機１に取り入れられる空気全部を通過させて空気清浄効果を高めることができる。また、クロスフローファン８Ｆの回転中、補助送風機１８、１８も連動して作動するので、通気抵抗の増大による空気量の低下を招くこともない。
【００２５】
また、室内機１の吸込口４を前面だけに設け、かつ吸込口４に開閉板１３を設けているので、空気調和機の運転停止中に室内機１への塵や埃の侵入をできるだけ防ぐことができる。
【００２６】
このように本実施形態の室内機１は、空気清浄効果を向上させるとともに、送風量の低下を防止して冷暖房能力を確保することができる。
【００２７】
なお、本発明は上述した実施形態に限定されることはなく、本発明の要旨を逸脱しない範囲で種々変形可能である。
【００２８】
例えば、空気清浄フィルタは、集塵フィルタ２６Ｓと脱臭フィルタ２６Ｄとの２層構造とすることに限らず、集塵フィルタ２６Ｄのみの構成であってもよい。
【００２９】
また、補助送風機１８にはプロペラファンを用いているが、例えばクロスフローファンを用いても良い。
【００３０】
【発明の効果】
以上説明したように本発明の空気調和機の室内機は、本体ケースの前面開口部の全体に空気清浄フィルタを配置しているので、室内機に取り入れられる空気全部を清浄化して空気清浄効果を高めるとともに、補助送風機を設けているので、取り入れる空気量を確保して空調能力の低下を防ぐことができる。
【図面の簡単な説明】
【図１】本発明の一実施形態における空気調和機の室内機の斜視図である。
【図２】室内機の略断面図である。
【図３】収納ケースの略断面図である。
【符号の説明】
１  室内機
２  本体ケース
２ａ  開口部
３  前面カバー
４  吸込口
５  吹出口
７  通風路
８  送風機
９    熱交換器
１３  開閉版
１５  収納ケース
１７  フィルタ収納部
１８  補助送風機
１９  モータ収納部
２４    プレフィルタ
２６    空気清浄フィルタ
２６Ｓ  集塵フィルタ
２６Ｄ  脱臭フィルタ
【図１】
2004150713.tif 000003
【図２】
2004150713.tif 000004
【図３】
2004150713.tif 000005